【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
家屋等の開口口を区画する枠体に対し蝶番を介して回転可能に配設された扉体を閉止する扉体閉止装置であって、前記扉体の、前記蝶番が取着された側端とは反対側に位置するところの取手が取着された側端の上方部に当該扉体が閉成方向に回転を開始してから所定の閉成角に達した時に装置本体に係合する被ガイド部材を取り付ける一方、前記枠体のうちの、前記被ガイド部材に対応する上枠体の端部位置に前記装置本体を取り付け、この装置本体には、その軸部が前記装置本体に回動可能に支持され、その軸部から第１腕部及び第２腕部が突設された回動片と、この回動片の回動に連動し、前記係合した被ガイド部材の、前記扉体の閉成・開成に伴う移動を可能にするガイド部を備えたアームと、前記係合前は前記回動片の第１腕部に、前記被ガイド部材との係合が可能な前記所定の閉成角に適応した角度位置に前記アームを保持するための付勢力を与える一方、前記係合後は前記回動片の第１腕部に、前記アームを前記扉体の閉成方向に回転させるための付勢力を与えるスプリングとを備え、更に、前記係合前は前記回動片の第２腕部に作用を及ぼさない直動式の緩衝装置であって、前記係合後の前記扉体の閉成時には前記回動片の第２腕部に作用して前記扉体の閉成を減速させ、また、前記係合後の前記扉体の開成時には前記回動片の第２腕部に作用して前記扉体の開成を助長させる緩衝装置を備えてなることを特徴とする扉体閉止装置。
【請求項２】
前記アームが開成方向のモーメントを受け、前記回動片の第２腕部と、前記緩衝装置の作用力が及ぶように設けられたスライダとの当接対象部位が当該スライダの傾斜面側に移り、閉成方向のモーメントのみが前記回動片に作用することにより、前記扉体が閉止されることを特徴とする請求項１に記載の扉体閉止装置。
【請求項３】
前記装置本体には、前記スプリングの付勢力を調整するための調整手段が備えられてなることを特徴とする請求項１又は２に記載の扉体閉止装置。
【請求項４】
前記アームは、略長方形の薄平板状の部材で、この部材の一方面側に、前記被ガイド部材の摺動子が出入りする開口口を備えた前記ガイド部が当該部材の長手方向の中心線に沿って前記開口口が設けられた端部から当該部材の略中央付近までのところに設けられる一方、この部材の他方面側の、前記開口口が設けられた端部とは反対側の端部寄りに前記回動片に連結される連結軸を有する取付台が突設され、
前記取付台は、前記装置本体の上面側に設けられた上嵌合孔又はこの上嵌合孔と同心をなして前記装置本体の下面側に設けられた、前記上嵌合孔と同一形状の下嵌合孔のいずれかに緩嵌されてなることを特徴とする請求項１〜３のいずれかに記載の扉体閉止装置。
【手続補正２】
【補正対象書類名】明細書
【補正対象項目名】０００７
【補正方法】変更
【補正の内容】
【０００７】
本発明の請求項２に係る扉体閉止装置は、前記アームが開成方向のモーメントを受け、前記回動片の第２腕部と、前記緩衝装置の作用力が及ぶように設けられたスライダとの当接対象部位が当該スライダの傾斜面側に移り、閉成方向のモーメントのみが前記回動片に作用することにより、前記扉体が閉止されるもので、これにより、扉体の、ラッチ孔へのラッチの没入が保証されて確実な閉止状態を得ることができる。
【手続補正３】
【補正対象書類名】明細書
【補正対象項目名】０００８
【補正方法】変更
【補正の内容】
【０００８】
本発明の請求項３に係る扉体閉止装置は、前記装置本体に、前記スプリングの付勢力を調整するための調整手段を備えるもので、これにより、緩衝装置の可動節の調整と相俟って、例えば扉体の閉成に際しての閉成速度を最適にするとか、また、扉体の開成に際しての当該扉体の取手を介して受けるスプリングの抗力を加減するとか、ができるようになる。
【手続補正４】
【補正対象書類名】明細書
【補正対象項目名】００１２
【補正方法】変更
【補正の内容】
【００１２】
まず、このうちの本実施の形態に係る装置本体６を図２〜６を参照して説明する。
装置本体６は、図２に示すように、細長く薄平な略直方体形状を外観形成する外ケース本体８及び外ケース側板体９と、これら外ケース本体８及び外ケース側板体９内に内装される内ケース本体１０及び内ケース上板体１１とで構成され、そして、この内ケース本体１０内には、当該内ケース本体１０の、図２や図４，５では左端側隅に左固定ブロック１２が、また、右端側隅に右固定ブロック１３がそれぞれ配置され、これら固定ブロック１２，１３の間には、左固定ブロック１２の方に近接して回動自在に配設される回動片１４と、その一方側が上記回動片１４の第１腕部１４ａの小回転子２３に当接する第１スライダ１５と、このスライダ１５の他方側に設けられたスプリング座に着座し、当該スライダ１５を左固定ブロック１２側に付勢するスプリング１６と、このスプリング１６の付勢力を調整するために右固定ブロック１３に配設される調整手段１７とを備え、更に、その一方側が上記回動片１４の第２腕部１４ｂに当接するように設定される第２スライダ１８と、このスライダ１８の他方側に、本実施の形態では、その可動節１９ａが当接する一方、その固定節１９ｂが右固定ブロック１３に当接する態様でそれぞれ配置される２つの直動式のダンパー（緩衝機構）１９と、更にまた、上記回動片１４に連動して回動可能なように当該回動片１４に取り付けられるアーム２０とを備えている。
【手続補正５】
【補正対象書類名】明細書
【補正対象項目名】００２１
【補正方法】変更
【補正の内容】
【００２１】
第２スライダ１８は、薄平な略正方体形状部材で構成され、このスライダ１８の一方側（上記回動片１４の第２腕部１４ｂが当接する側）の側面１８ａには、内ケース本体１０に配設された当該スライダ１８を上方から視たときに当該スライダ１８の側面１８ａはその摺動方向と直交する幅方向の略中心線付近から所定傾斜角をなす傾斜面１８ａ１が設けられている（図４，５参照）。かかる傾斜面１８ａ１は、後に詳述するように、回動片１
４の回転がある時点に達してから、回動片１４の第２腕部１４ｂに当該スライダ１８を介してダンパー１９からの抗力が作用しなくなるようにするために設定されたものである。そして、このスライダ１８の他方側の側面１８ｂには、上述のように２つのダンパー１９の可動節１９ａがそれぞれ当接する。更に、このスライダ１８の上下面には、このスライダ１８の、当該スライダ１８を上方から視て側面１８ａと側面１８ｂ間を結ぶ中心線に沿って上記内ケース上板体１１の案内溝１１ｃ及び内ケース本体１０の案内溝１０ａ２に緩挿される細長なリブ１８ｃ１，１８ｃ２がそれぞれ突設され（但し、リブ１８ｃ２は図示されていない）、スライダ１８は、これら案内溝１１ｃ，１０ａ２に案内されて摺動するようになっている。
【手続補正６】
【補正対象書類名】明細書
【補正対象項目名】００２２
【補正方法】変更
【補正の内容】
【００２２】
ダンパー１９は、所定のダンピング係数を有する緩衝装置で、進退可能な可動節１９ａと、この可動節１９ａを出没可能とする、例えばシリコン油などの粘性流体が封入された固定節１９ｂとから構成される直動式タイプのもので構成され、これにより、装置本体６をコンパクト化して家屋等の開口口を区画する枠体に取付けることができるようにしている。ダンパー１９が内ケース本体１０に組み付けられるときは、その固定節１９ｂを内ケース本体１０の位置決め溝１０ａ３，１０ａ４（但し、溝１０ａ４は図示されていない）や突起２２で位置決めするとともに、上述のように右固定ブロック１３の縦ブロック１３ｂに当接させる一方、可動節１９ａをスライダ１８の側面１８ｂに当接させて当該スライダ１８に当該ダンパー１９の作用力が及ぶように組み付ける。ダンパー１９は、スプリング１６と並列に配置される。ところで、本実施の形態では、ダンパー１９を２つ並列に配置して用いた場合を説明したが、これに限ることなく仕様によっては、例えば当該ダンパー１９を３つ以上を配置するようにしても、或いは、当該ダンパー１９より容量の大きいダンパーを１つ配置するようにしてもよい。
【手続補正７】
【補正対象書類名】明細書
【補正対象項目名】００２９
【補正方法】変更
【補正の内容】
【００２９】
そして、図４（Ａ）の状態から本装置１に閉止動作を開始させるために扉体Ａを閉成すべく取手に力を加えてやると、回動片１４は、当該回動片１４の小回転子２３がスライダ１５の頂点１５ａ１を乗り越えて傾斜面１５ａ３側で当該スライダ１５と当接する状態、即ち、図４（Ｂ）の状態となる。この状態になると、回動片１４は、スライダ１５を介して付与されるスプリング１６の付勢力（かかる付勢力は、調整手段１７により適宜調整できる。）により、図４（Ｂ）において反時計回り方向のモーメント（同図中の矢印方向Ａ１）を受けるようになるため、アーム２０もまた反時計回り方向のモーメント（同図中の矢印方向Ａ２）を受け、これにより扉体Ａが更に自動的に閉成されて行く。このとき、ダンパー１９は、第２スライダ１８の側面１８ａを回動片１４の第２腕部１４ｂに当接させ、第２スライダ１８を介して回動片１４に時計回り方向のモーメントを付与するので、回動片１４の反時計回り方向の回転速度は抑制されて減速される。しかるに、回動片１４が回転して図５（Ａ）の状態に達すると、図５（Ｂ）の状態に至るまで、回動片１４は、上述同様にスプリング１６の付勢力により反時計回り方向のモーメントを受け続け、これによりアーム２０もまた反時計回り方向のモーメントを受け続けるが、この回動片１４の第２腕部１４ｂのスライダ１８との当接対象部位が当該スライダ１８の傾斜面１８ａ１側に移るので、この回動片１４には当該スライダ１８を介してダンパー１９からの抗力が作用しなくなり、回動片１４が反時計回りのモーメントを受けるようになる。これにより、反時計回り方向のモーメントのみが回動片１４に作用することになるため、扉体Ａの、ラッチ孔へのラッチの没入が保証されて確実な閉止状態を得ることができる。